(57)【要約】【課題】窓を半開状態と全開状態に開放操作でき、しかも窓が誤って半開状態から全開状態へ開放操作されるのを解消できる窓の開閉装置を提供する。【解決手段】窓体２を全閉位置と半開位置と全開位置の間で開閉する窓の開閉装置であって、開閉装置はハンドルケース６と、窓枠２ａに連結した受動体７と、ハンドルケース６および受動体７に連結されて、窓体２を内外に開閉操作する開閉ハンドル８を備えている。半開位置において開閉ハンドル８の回動を規制するハンドルロック９をハンドルケース６に設ける。ハンドルロック９は、切換え具４０とロック体４２を備えている。切換え具４０をロック位置に切換え操作した状態では、ロック体４２が開閉ハンドル８の回動軌跡内に進入して同ハンドル８の上向き回動を規制して、窓体２が半開位置を越えて開放操作されるのを規制する。【選択図】図１
2017025655.tif 000002
【特許請求の範囲】
【請求項１】
窓支持構造（３）で開閉自在に支持した窓体（２）を、全閉位置と半開位置と全開位置の間で開閉する窓の開閉装置であって、
開閉装置は、開口枠（１）に固定したハンドルケース（６）と、窓体（２）に連結した受動体（７）と、ハンドルケース（６）および受動体（７）に連結されて、窓体（２）を内外に開閉操作する開閉ハンドル（８）を備えており、
全閉位置にあった開閉ハンドル（８）を上向きまたは下向きに回動操作することにより、開閉ハンドル（８）は半開位置を経由して突出し準備位置に回動でき、突出し準備位置において開閉ハンドル（８）を開口枠（１）の外面へ突出すことにより、窓体（２）を全開位置へ開放操作でき、
ハンドルケース（６）に、半開位置において開閉ハンドル（８）の回動を規制するハンドルロック（９）が設けられており、
ハンドルロック（９）は、切換え具（４０）と、切換え具（４０）でロック位置とロック解除位置に変位操作されるロック体（４２）を備えており、
切換え具（４０）をロック位置に切換え操作した状態において、ロック体（４２）が開閉ハンドル（８）の回動軌跡内に進入して同ハンドル（８）の上向きまたは下向きの回動を規制し、窓体（２）が半開位置を越えて開放操作されるのを規制していることを特徴とする窓の開閉装置。
【請求項２】
開閉ハンドル（８）が、ハンドルケース（６）で上下回動可能に、かつ内外スライド可能に支持したハンドルアーム（３１）と、ハンドルアーム（３１）の一端に装着したハンドル棒（３２）と、ハンドルアーム（３１）に設けたロック片（３４）を備えており、
ハンドルアーム（３１）とハンドルケース（６）のいずれか一方に第１軸（３５）と第２軸（３６）が固定され、他方に第１軸（３５）と相対スライドする第１溝（１９）と、第２軸（３６）と相対回動し、かつ第２軸（３６）と相対スライドする第２溝（２０）が設けられており、
ハンドルアーム（３１）とハンドルケース（６）は、互いに係合する第１軸（３５）および第１溝（１９）と、第２軸（３６）および第２溝（２０）を介して連結されており、
切換え具（４０）をロック位置に切換えた状態において、ロック体（４２）がロック片（３４）に接当して、開閉ハンドル（８）が半開位置を越えて開放操作されるのを規制している請求項１に記載の窓の開閉装置。
【請求項３】
ハンドルアーム（３１）に第１軸（３５）と第２軸（３６）が固定され、ハンドルケース（６）に第１溝（１９）と第２溝（２０）が形成されており、
ハンドルアーム（３１）に固定した第２軸（３６）がロック片（３４）を兼ねている請求項２に記載の窓の開閉装置。
【請求項４】
ハンドルアーム（３１）に第１溝（１９）と第２溝（２０）が形成され、ハンドルケース（６）に第１軸（３５）と第２軸（３６）が固定されており、
ハンドルアーム（３１）に、ロック体（４２）で受止められるロック片（３４）が設けてある請求項２に記載の窓の開閉装置。
【請求項５】
ハンドルケース（６）が、開口枠（１）に固定されるベースフレーム（１４）と、開口枠（１）に固定されてベースフレーム（１４）の外面を覆うベースカバー（１５）を備えており、
ハンドルロック（９）は、ベースカバー（１５）の外面に配置されてロック位置とロック解除位置に回動操作できる切換え具（４０）と、切換え具（４０）の回動に連動してロック位置とロック解除位置に回動するロック体（４２）を備えている請求項２から４のいずれかひとつに記載の窓の開閉装置。
【請求項６】
ベースフレーム（１４）とハンドルアーム（３１）のいずれか一方に、第１軸（３５）および第２軸（３６）をキャッチ保持するキャッチ体（１６）が設けられており、
キャッチ体（１６）に、全閉時の第１軸（３５）をキャッチ保持する第１キャッチ部（５１）と、半開時の第２軸（３６）をキャッチ保持する第２キャッチ部（５２）と、全開時の第１軸（３５）をキャッチ保持する第３キャッチ部（５３）と、全開時の第２軸（３６）をキャッチ保持する第４キャッチ部（５４）が形成してある請求項２から５のいずれかひとつに記載の窓の開閉装置。
【請求項７】
半開位置における窓体（２）の外面が外壁（Ｗ）の外壁面より室内側に位置させてあり、
半開位置における開閉ハンドル（８）のハンドル棒（３２）が、開口枠（１）の室内側の凹み空間（Ｓ）内に位置している請求項２から６のいずれかひとつに記載の窓の開閉装置。
【請求項８】
ベースカバー（１５）に、ハンドルアーム（３１）の上下回動および内外スライドを許すアーム溝（２４）と、アーム溝（２４）の下端または上端に連続する収納凹部（２５）が形成されており、
窓体（２）が全閉位置にあるとき、ハンドルアーム（３１）がベースカバー（１５）内に収容され、ハンドル棒（３２）の側端が収納凹部（２５）に収容されて、ハンドル棒（３２）がグリップ空間（Ｇ）を間にして窓体（２）に臨んでいる請求項５から７のいずれかひとつに記載の窓の開閉装置。
【請求項９】
ハンドル棒（３２）が、左右のハンドルアーム（３１）に止めねじ（５９）で着脱可能に締結されており、
ハンドル棒（３２）を左右のハンドルアーム（３１）から分離した状態において、網戸（７０）を左右のハンドルケース（６）の間から出し入れできる請求項２から８のいずれかひとつに記載の窓の開閉装置。
【発明の詳細な説明】
【技術分野】
【０００１】
本発明は、突出し窓、平行突出し窓、滑り出し窓などの窓を、全閉状態から半開状態、あるいは全開状態に開放操作するための開閉装置に関する。
【背景技術】
【０００２】
本発明に係る開閉装置に関して、特許文献１のハンドル構造が公知である。そこでは、窓本体に固定される左右一対の本体側ブラケットと、枠体（開口枠）に固定される左右一対の枠体側ブラケットと、本体側ブラケットに揺動軸で連結されて、揺動軸の周りに上下揺動する左右一対の揺動アームと、揺動アームの揺動先端同士を連結するハンドル棒などで開閉装置を構成している。揺動アームにはガイド溝が形成してあり、ガイド溝と係合するガイドピンが枠体側ブラケットに固定してある。枠体側ブラケットは中空箱状に構成してあり、その前後壁に揺動アームの上下揺動を許す開口と、揺動アームの突出し移動を許す開口が形成してある。揺動アームのガイド溝は、揺動アームの長手方向に沿う直線溝部と、直線溝部の一端に連続する部分円弧状の円弧溝部と、直線溝部の他端に連続するストッパー部で構成してある。因みに窓本体は、その周囲４辺部に設けたパンタグラフ機構で、平行姿勢のままで突出し開放可能に支持されている。
【０００３】
上記のハンドル構造において窓本体が閉じ状態にあるとき、揺動アームは揺動軸とガイドピンに支持されて下向きに垂下っている。この状態から、ハンドル棒を上向きに回動させると、揺動アームが揺動軸を中心にして上向きに回動し、水平姿勢になるまでの間に窓本体を枠体の外へ僅かに押出す。このとき、ガイドピンは直線溝部の端部に臨んでいるので、揺動アームを外向きに押込み操作することにより、窓本体を突出して開放することができる。窓本体を閉じる場合には、ハンドル棒と揺動アームを内向きに引込み操作したのち、ハンドル棒を下向きに回動して窓本体を枠体側へ引寄せる。
【０００４】
本発明の開閉装置は、窓を全閉状態から半開状態、あるいは全開状態に開放操作するが、窓を半開位置で保持することに関して、特許文献１のハンドル構造では、直線溝部の中途部に溝状の中間ストッパー部を設けることが開示してある。
【先行技術文献】
【特許文献】
【０００５】
【特許文献１】特許第３７７８６１６号公報（段落番号００２２〜００３７、図１）
【発明の概要】
【発明が解決しようとする課題】
【０００６】
特許文献１のハンドル構造によれば、ハンドル棒を上向きに回動させ、さらに外向きに突出し操作することにより窓本体を全開できる。また、直線溝部に設けた中間ストッパー部を、枠体側ブラケットのガイドピンに係合することにより、窓本体を半開状態に保持できる。しかし、中間ストッパー部とガイドピンは単に係合しているだけであるため、誤ってハンドル棒に上向きの外力が作用した場合に、中間ストッパー部とガイドピンの係合状態が解除されて、窓本体が全開位置まで開くおそれがある。また、窓本体を全開位置まで開放操作するとき、ハンドル棒に加わる突出し力の方向が不適正であると、中間ストッパー部がガイドピンに落込み係合することがあり、窓本体を円滑に全開操作できないことがある。さらに、窓本体を半開状態に開放した状態では、横向きに延びる揺動アームおよびハンドル棒が室内側へ突出するため、見た目の印象が悪く窓の意匠性や室内の雰囲気が損なわれやすい。室内側へ突出した揺動アームおよびハンドル棒が、窓の近傍における人の行動の邪魔になる不利もある。また、室内側へ突出した揺動アームおよびハンドル棒が、開口枠の内面に設けたカーテンやロールスクリーンに接触して、その部分が突出る不具合がある。
【０００７】
本発明の目的は、窓体を半開状態と全開状態に開放操作でき、しかも窓体が誤って半開状態から全開状態へ開放操作されるのを解消して、窓体をユーザーの意図通りに円滑に開閉できる使い勝手に優れた窓の開閉装置を提供することにある。
本発明の目的は、半開状態において開閉装置の構成部材が室内側へ突出するのを防止して窓の意匠性を向上でき、さらに室内の雰囲気が損なわれるのを解消できる、窓の開閉装置を提供することにある。
【課題を解決するための手段】
【０００８】
本発明に係る窓の開閉装置は、窓支持構造３で開閉自在に支持した窓体２を、全閉位置と半開位置と全開位置の間で開閉する。開閉装置は、開口枠１に固定したハンドルケース６と、窓枠２ａに連結した受動体７と、ハンドルケース６および受動体７に連結されて、窓体２を内外に開閉操作する開閉ハンドル８を備えている。全閉位置にあった開閉ハンドル８を上向きまたは下向きに回動操作することにより、開閉ハンドル８は半開位置を経由して突出し準備位置に回動でき、突出し準備位置において開閉ハンドル８を開口枠１の外面へ突出すことにより、窓体２を全開位置へ開放操作できる。ハンドルケース６に、半開位置において開閉ハンドル８の回動を規制するハンドルロック９を設ける。図７に示すように、ハンドルロック９は、切換え具４０と、切換え具４０でロック位置とロック解除位置に変位操作されるロック体４２を備えている。切換え具４０をロック位置に切換え操作した状態において、ロック体４２が開閉ハンドル８の回動軌跡内に進入して同ハンドル８の上向きまたは下向きの回動を規制し、窓体２が半開位置を越えて開放操作されるのを規制することを特徴とする。
【０００９】
開閉ハンドル８は、ハンドルケース６で上下回動可能に、かつ内外スライド可能に支持したハンドルアーム３１と、ハンドルアーム３１の一端に装着したハンドル棒３２と、ハンドルアーム３１に設けたロック片３４を備えている。ハンドルアーム３１とハンドルケース６のいずれか一方に第１軸３５と第２軸３６が固定され、他方に第１軸３５と相対スライドする第１溝１９と、第２軸３６と相対回動し、かつ第２軸３６と相対スライドする第２溝２０を設ける。ハンドルアーム３１とハンドルケース６は、互いに係合する第１軸３５および第１溝１９と、第２軸３６および第２溝２０を介して連結する。切換え具４０をロック位置に切換えた状態において、ロック体４２がロック片３４に接当して、開閉ハンドル８が半開位置を越えて開放操作されるのを規制する。
【００１０】
図６に示すように、ハンドルアーム３１に第１軸３５と第２軸３６を固定し、ハンドルケース６に第１溝１９と第２溝２０を形成する。ハンドルアーム３１に固定した第２軸３６がロック片３４を兼ねている。
【００１１】
図１１に示すように、ハンドルアーム３１に第１溝１９と第２溝２０を形成し、ハンドルケース６に第１軸３５と第２軸３６を固定する。ハンドルアーム３１に、ロック体４２で受止められるロック片３４を設ける。
【００１２】
図４に示すようにハンドルケース６は、開口枠１に固定されるベースフレーム１４と、開口枠１に固定されてベースフレーム１４の外面を覆うベースカバー１５を備えている。ハンドルロック９は、ベースカバー１５の外面に配置されてロック位置とロック解除位置に回動操作できる切換え具４０と、切換え具４０の回動に連動してロック位置とロック解除位置に回動するロック体４２を備えている。
【００１３】
ベースフレーム１４とハンドルアーム３１のいずれか一方に、第１軸３５および第２軸３６をキャッチ保持するキャッチ体１６を設ける。図６に示すように、キャッチ体１６に、全閉時の第１軸３５をキャッチ保持する第１キャッチ部５１と、半開時の第２軸３６をキャッチ保持する第２キャッチ部５２と、全開時の第１軸３５をキャッチ保持する第３キャッチ部５３と、全開時の第２軸３６をキャッチ保持する第４キャッチ部５４を形成する。
【００１４】
半開位置における窓体２の外面は外壁Ｗの外壁面より室内側に位置させてある。半開位置における開閉ハンドル８のハンドル棒３２は、開口枠１の室内側の凹み空間Ｓ内に位置させてある。
【００１５】
ベースカバー１５に、ハンドルアーム３１の上下回動および内外スライドを許すアーム溝２４と、アーム溝２４の下端または上端に連続する収納凹部２５を形成する。窓体２が全閉位置にあるとき、ハンドルアーム３１がベースカバー１５内に収容され、ハンドル棒３２の側端が収納凹部２５に収容されて、ハンドル棒３２がグリップ空間Ｇ（図６参照）を間にして窓体２に臨むようにする。
【００１６】
ハンドル棒３２は、左右のハンドルアーム３１に対して止めねじ５９で着脱可能に締結する。ハンドル棒３２を左右のハンドルアーム３１から分離した状態において、網戸７０を左右のハンドルケース６の間から出し入れできる。
【発明の効果】
【００１７】
本発明では、開閉ハンドル８を上向きまたは下向きに回動操作し、さらに開口枠１の外面へ突出して、窓体２を半開位置と全開位置に開放できるようにした開閉装置において、ハンドルケース６に開閉ハンドル８の回動を規制するハンドルロック９を設けるようにした。こうした開閉装置によれば、予めハンドルロック９の切換え具４０をロック位置に切換えておくことにより、ロック体４２で開閉ハンドル８の上向きまたは下向きの回動を規制して、窓体２が半開位置を越えて開放操作されるのを規制できる。従って、窓体２が誤って半開状態から全開状態へ開放操作されるのを解消して、窓体２をユーザーの意図通りに円滑に開閉でき、使い勝手に優れた窓の開閉装置を提供できる。また、切換え具４０をロック解除位置に切換えた状態では、ロック体４２のロック機能が確実に無効化されるので、開閉ハンドル８を開口枠１の外面へ突出し操作する際に、突出し操作が阻害されるのを解消して、開閉ハンドル８の上向きまたは下向き回動操作から突出し操作に至る一連の開放操作や閉じ操作を円滑に行うことができる。
【００１８】
ハンドルアーム３１とハンドルケース６のいずれか一方に第１軸３５と第２軸３６を固定し、他方に第１溝１９と第２溝２０を設ける開閉装置によれば、各軸３５・３６と各溝１９・２０が常に２個所で接触する状態で相対スライドするので、開閉ハンドル８の上下回動、および前後スライドを常に安定した状態で確実に行える。また、ハンドルアーム３１にロック片３４を設け、回動するロック片３４をロック体４２で受止めるようにしたロック構造によれば、ハンドルロック９をハンドルケース６の所定位置に固定できるので、開閉装置の構造を簡素化してコストの削減に寄与できる。因みに、ハンドルロック９がハンドルアーム３１に設けてある場合には、ハンドルロック９をハンドルアーム３１に同行して回動させ、往復スライドさせる必要があるので、ハンドルケース６の構造が複雑になるのを避けられない。
【００１９】
ハンドルアーム３１に第１軸３５と第２軸３６を固定し、ハンドルケース６に第１溝１９と第２溝２０を形成するロック構造によれば、第２軸３６でロック片３４を兼ねることができるので、別途ロック片３４を設ける必要がなく、その分だけ開閉装置の構造を簡素化して低コスト化できる。
【００２０】
ハンドルアーム３１に第１溝１９と第２溝２０を形成し、ハンドルケース６に第１軸３５と第２軸３６を固定し、ハンドルアーム３１にロック片３４を設けるロック構造によれば、ロック片３４およびハンドルロック９の配置位置に関して、設計の自由度を拡大できる。詳しくは、ロック片３４およびハンドルロック９は、ハンドルアーム３１の回動範囲内の任意の位置に配置できるので、ハンドルアーム３１の構造や大きさなどに応じて最適位置にロック片３４およびハンドルロック９を配置することができる。
【００２１】
ベースフレーム１４とベースカバー１５を備えたハンドルケース６によれば、第１軸３５、第２軸３６、第１溝１９、第２溝２０、ロック体４２などの外面をベースカバー１５で覆って、開閉装置の外観をシンプルですっきりとした印象にして、開閉装置によって室内の雰囲気が損なわれるのを解消できる。また、ハンドルロック９の切換え具４０をベースカバー１５の外面に配置しておくことにより、切換え具４０の切換え操作を容易にしかも確実に行えるうえ、必要に応じて切換え具４０の切換え状態を目視により確認して、切換え具４０が誤操作されるのを極力避けることができる。
【００２２】
ベースフレーム１４とハンドルアーム３１のいずれか一方に、第１軸３５および第２軸３６をキャッチ保持するキャッチ体１６を設けると、全閉位置、半開位置、および全開位置の各位置において、ハンドルアーム３１が遊動し、あるいはぐら付くのを防止できる。また、全閉時の第１軸３５を第１キャッチ部５１でキャッチ保持することにより、ハンドルアーム３１を第１軸３５の回りに確実に回動操作できるので、ハンドルアーム３１の回動操作をより円滑に行える。半開位置においては、第１軸３５が第１キャッチ部５１でキャッチ保持され、さらに第２軸３６が第２キャッチ部５２でキャッチ保持される。さらに、全開位置においては、第１軸３５および第２軸３６が第３キャッチ部５３および第４キャッチ部５４でキャッチ保持される。従って、半開位置および全開位置において、ハンドルアーム３１を安定した状態で確実に位置保持して、窓体２の開放姿勢を維持することができる。
【００２３】
半開位置における窓体２の外面を、外壁Ｗの外壁面より室内側に位置させるようにすると、窓を一見しただけでは、窓体２が開放されているか否かを判りづらい状態にして換気を行うことができる。半開位置において、窓体２と開口枠１の間の開口部から室内が覗きみられるのを極力避けることができる利点もある。また、半開位置における開閉ハンドル８のハンドル棒３２を、開口枠１の室内側の凹み空間Ｓ内に位置させるようにすると、ハンドル棒３２が開口枠１より室内側へ突出するのを解消できるので、窓の意匠性や室内の雰囲気が損なわれるのを防止できる。また、ハンドル棒３２が窓の近傍における人の行動の邪魔になることも解消できる。
【００２４】
ベースカバー１５に、アーム溝２４と収納凹部２５を形成し、全閉位置においてハンドルアーム３１をベースカバー１５内に収容し、ハンドル棒３２の側端を収納凹部２５に収容すると、開閉装置の外観をさらにすっきりとした印象にして、室内の雰囲気が損なわれるのを防止できる。また、全閉位置におけるハンドル棒３２を、グリップ空間Ｇを間にして窓体２に臨ませると、グリップ空間Ｇに手を差し込んでハンドル棒３２を確りと握ることができるので、開閉ハンドル８による窓体２の開放および閉じ操作を的確に行える。ハンドル棒３２を握りしめた指や手の甲が窓体２のガラス面に接触することもない。
【００２５】
ハンドル棒３２を左右のハンドルアーム３１に対して止めねじ５９で着脱可能に締結した開閉装置においては、ハンドル棒３２を左右のハンドルアーム３１から分離することにより、網戸７０を左右のハンドルケース６の間から出し入れして、網戸７０の交換や清掃、あるいは補修などを手軽に行える。また、季節の変化に応じて網戸７０を開口枠１の外面に配置し、あるいは網戸７０を取外して風通しを良くすることができる。
【図面の簡単な説明】
【００２６】
【図１】本発明の実施例１に係る開閉装置の側面図である。
【図２】開閉装置の適用例を示す窓の正面図である。
【図３】窓支持構造の側面図である。
【図４】開閉装置の分解斜視図である。
【図５】半開位置まで開放した開閉装置の横断平面図である。
【図６】全閉位置における開閉装置を示しており、図６（ａ）は右側面図、図６（ｂ）は左側面図である。
【図７】半開位置における開閉装置を示しており、図７（ａ）は右側面図、図７（ｂ）は左側面図である。
【図８】突出し準備位置における開閉装置を示しており、図８（ａ）は右側面図、図８（ｂ）は左側面図である。
【図９】全開位置における開閉装置を示しており、図９（ａ）は右側面図、図９（ｂ）は左側面図である。
【図１０】全開位置まで開放した開閉装置の横断平面図である。
【図１１】本発明の実施例２に係る開閉装置を半開位置まで開放した状態の側面図である。
【図１２】実施例２に係る開閉装置を全開位置まで開放した状態の側面図である。
【図１３】別の実施例に係る開閉装置を半開位置まで開放した状態の側面図である。
【図１４】図１３の開閉装置を全開位置まで開放した状態の側面図である。
【図１５】平行突出し窓の別の実施例を示す横断平面図である。
【発明を実施するための形態】
【００２７】
（実施例１）  図１ないし図１０は、本発明に係る開閉装置の実施例１を示す。本発明における前後、左右、上下とは、図１および図２に示す交差矢印と、矢印の近傍の前後・左右・上下の表記に従う。図２において符号１は開口枠、符号２は窓体、符号３は開口枠１と窓体２の間に設けられて、窓体２を開閉自在に支持する窓支持構造である。開口枠１および窓体２は上下長に比べて左右幅が小さな長方形状に形成してあり、主に換気窓として使用される。窓支持構造３は、Ｘ字状に組んだ一対のリンク板３ａで平行リンク機構として構成してあり、窓体２の上下面、および左右側面の上下３個所に配置してある。リンク板３ａの一端は開口枠１および窓枠２ａにピン３ｂで連結され、他端に固定したピン３ｃはガイド金具４で往復スライド自在に案内支持してある。このように、窓体２を平行リンク機構からなる窓支持構造３で支持した窓は、窓体２が平行に開閉移動する平行突出し窓として機能する。図示していないが、開口枠１には窓体２の開放を規制するロック装置が設けてあり、このロック装置をロック解除した状態でのみ、窓体２を開閉装置で開放操作できる。
【００２８】
窓体２を全閉位置と半開位置と全開位置の間で開閉するために、開口枠１と窓体２の窓枠２ａの間に開閉装置を設けている。図１および図４において開閉装置は、開口枠１の左右の縦枠に固定したハンドルケース６と、窓枠２ａの左右の縦枠に固定した受動体７と、ハンドルケース６および受動体７に連結されて、窓体２を内外に開閉操作する開閉ハンドル８と、一方のハンドルケース６に設けたハンドルロック９などで構成する。開閉装置を組付けるために、開口枠１の縦枠に、ハンドルケース６を装着するためのハンドル凹部１１が形成してある。ハンドル凹部１１は、開口枠１の縦枠の一部を切欠いて形成してあり、後述するハンドルアーム３１の上下回動および内外スライドを許す枠側アーム溝を兼ねている。
【００２９】
図４においてハンドルケース６は、先のハンドル凹部１１に締結固定されるベースフレーム１４と、開口枠１に締結固定されてベースフレーム１４の外面を覆うベースカバー１５と、ベースフレーム１４に固定されるキャッチ体１６などで構成する。ベースフレーム１４およびベースカバー１５は、左右対称に形成されて右用の部品と左用の部品とが用意してある。ベースフレーム１４は、四角形状の主面壁１７の上下縁と前縁に締結座１８と補強壁を一体に折曲げ形成したプレス成型品からなり、主面壁１７の下部に第１溝１９が形成され、その上側に第２溝２０が形成してある。第１溝１９が前後に長い直線溝で形成してあるのに対して、第２溝２０は４分円弧状の円弧溝２０ａと、第１溝１９と平行な前後に長い直線溝２０ｂとで横臥「し」字状に形成してある。これらの第１溝１９および第２溝２０で、後述する第１軸３５および第２軸３６をスライド案内して、開閉ハンドル８を上下回動させ、あるいは前後にスライド移動させる。
【００３０】
ベースカバー１５は、断面がＬ字状の縦長のプラスチック成型品からなり、その前壁にハンドルアーム３１の上下回動および内外スライドを許す上下に長いアーム溝２４を形成し、同溝２４の下端に連続して収納凹部２５が形成してある。ベースカバー１５の側壁の上下には、ビス５７をカバー内に差込むための円形の組付穴２６が形成され、その間にハンドルロック９を組付けるための装着穴２７が形成してある。ハンドル凹部１１に臨むベースカバー１５の内面には、ベースフレーム１４を締結固定するためのねじボス２８が一体に設けてある。図４において符号４５は、ビス５７を締結したのちに組付穴２６に庄着されるビスキャップである。
【００３１】
受動体７はステンレス製の板材からなり、その前部に受動カム溝３０が形成してある。受動カム溝３０は上側の直線溝３０ａと、直線溝３０ａに連続してハンドルケース６から徐々に遠ざかるように湾曲する下側の湾曲溝３０ｂで構成してある。受動体７は、受動カム溝３０と係合する操作ピン３３を介してハンドルアーム３１と一体化してあり、その後縁が窓枠２ａに固定した取付け金具２２（図１参照）にビス５８で連結してある。
【００３２】
開閉ハンドル８は、ハンドルケース６で上下回動可能に、かつ内外スライド可能に支持したハンドルアーム３１と、ハンドルアーム３１の一端に装着した中空のハンドル棒３２と、ハンドルアーム３１の他端に装着した操作ピン３３と、ハンドルアーム３１に設けたロック片３４などで構成する。ハンドル棒３２は、左右のハンドルアーム３１に止めねじ５９で着脱可能に締結してある。図４に示すように、ハンドルアーム３１はステンレス製の帯板からなり、その長手方向中途部に第１軸３５と第２軸３６が固定してある。符号３７は逃げ溝であり、回動するハンドルアーム３１が、後述するハンドルロック９と接当干渉するのを避けるために設けてある。第１軸３５および第２軸３６は、ベースフレーム１４に形成した第１溝１９および第２溝２０と係合した状態で、ハンドルアーム３１にかしめ固定してある。つまり、ハンドルアーム３１とベースフレーム１４は、互いに係合する第１軸３５および第１溝１９と、第２軸３６および第２溝２０を介して連結されている。この実施例では第２軸３６の大径頭部がロック片３４を兼ねるので、別途ロック片３４を設ける必要がなく、その分だけ開閉装置の構造を簡素化して低コスト化できる。
【００３３】
ハンドルロック９は、ベースカバー１５の側壁に配置される切換え具（操作つまみ）４０と、切換え具４０の回動動作を受継ぐ中継軸４１と、中継軸４１の内端に固定されるロック体４２で構成する。中継軸４１はベースフレーム１４の装着穴で回転自在に支持されており、ロック体４２を軸端に固定することによりベースフレーム１４と一体化してある。この状態の中継軸４１の外端に、ベースカバー１５の装着穴２７から差込んだ切換え具４０のボスを外嵌し、ピン４６で連結することにより、切換え具４０を中継軸４１と一体化して、その回動動作をロック体４２に伝えることができる。なお、ハンドルロック９は図２に向かって左側のハンドルケース６にのみ組付けてある。
【００３４】
切換え具４０は、ロック位置とロック解除位置に回動操作（変位操作）することができる。図７に示すように、切換え具４０をロック位置に切換えた状態では、ロック体４２の一部が、ロック片３４の回動軌跡内に進入してハンドルアーム３１の上向き回動を規制して、開閉ハンドル８が半開位置を越えて開放操作されるのを規制している。このときの窓体２は図５に示すように半開位置に開放されている。図８に示すように、切換え具４０をロック解除位置に切換えた状態では、ロック体４２はロック片３４の回動軌跡の外へ退避するので、ハンドルアーム３１は半開位置を経由して突出し準備位置まで回動できる。さらに、突出し準備位置から、図９に示すように開閉ハンドル８を開口枠１の外面へ突出すことにより窓体２を全開位置へ開放操作できる。切換え具４０は、図示していない節度構造でロック位置とロック解除位置において位置保持される。
【００３５】
先に説明したように開閉ハンドル８は、全閉位置から半開位置を経て突出し準備位置まで上向きに回動操作でき、さらに、突出し準備位置において開閉ハンドル８を開口枠１の外面へ突出すことにより窓体２を全開位置へ開放操作できる。しかし、第１軸３５と第２軸３６を第１溝１９と第２溝２０でスライド自在に案内支持するので、ハンドルアーム３１の自由度が高く、その姿勢がぐら付いて第１軸３５と第２軸３６がこじれるおそれがある。さらに、開閉ハンドル８を安定した状態で回動操作し、安定した状態でスライド操作できないおそれがある。こうした状況を解消し、開閉ハンドル８による窓体２の開閉を常に安定した状態で円滑に行うために、ベースフレーム１４にキャッチ体１６を設けている。
【００３６】
キャッチ体１６は横臥Ｕ字状のプラスチック成型品からなり、その湾曲部分が第１溝１９の前端に臨む状態でベースフレーム１４に固定してある。図６に示すように、キャッチ体１６の湾曲部分と、上側のキャッチ腕４８の後端と、下側のキャッチ腕４９の前部には、それぞれ他の部位より薄肉で弾性変形可能な弾性壁５０が形成されており、これらの弾性壁５０に、第１軸３５と第２軸３６をキャッチ保持する第１キャッチ部５１〜第４キャッチ部５４を設けている。
【００３７】
詳しくは、下側のキャッチ腕４９の前部に設けた弾性壁５０の上面に、全閉時の第１軸３５の大径頭部をキャッチ保持する第１キャッチ部５１を設けている。また、半開時の第２軸３６の大径頭部をキャッチ保持する第２キャッチ部５２を、キャッチ体１６の湾曲部分に設けた弾性壁５０に設けている。さらに、全開時の第１軸３５の大径頭部をキャッチ保持する第３キャッチ部５３と、全開時の第２軸３６の大径頭部をキャッチ保持する第４キャッチ部５４を、上側のキャッチ腕４８の後端に設けた弾性壁５０の下面と上面に設けている。第１キャッチ部５１〜第４キャッチ部５４は、それぞれ第１軸３５および第２軸３６の大径頭部を受入れる凹部と、山形の突起で構成してあり、各凹部に落込み係合した第１軸３５および第２軸３６の大径頭部を山形の突起で保持する。
【００３８】
ハンドルケース６と受動体７と開閉ハンドル８とハンドルロック９は、予め組付けられてユニット部品化してある。例えば、ベースフレーム１４に中継軸４１とロック体４２を組み付けた後、ベースフレーム１４の第１溝１９と第２溝２０に挿通した第１軸３５と第２軸３６をハンドルアーム３１にかしめ固定して、開閉ハンドル８とベースフレーム１４を連結し、キャッチ体１６をビス６１（図４参照）でベースフレーム１４に締結固定する。また、受動体７の受動カム溝３０に挿通した操作ピン３３をハンドルアーム３１にかしめ固定して、受動体７をハンドルアーム３１と一体化する。得られた１次組立てブランクをベースカバー１５の内面にあてがって、図５に示すようにビス５６をねじボス２８にねじ込み、１次組立てブランクをベースカバー１５と一体化し、さらに切換え具４０を中継軸４１と一体化しピン４６で連結して２次組立てブランクを得る。開閉装置はこの状態で出荷される。
【００３９】
開閉装置を開口枠１および窓体２に組む場合には、ハンドルケース６とハンドルアーム３１をハンドル凹部１１に嵌込んで、受動体７が開口枠１の外側に位置する状態で、ベースフレーム１４を下地金具２１に対して位置決めし、組付穴２６を介して上下の締結座１８に挿通したビス５７（図５参照）を下地金具２１にねじ込んで、２次組立てブランクを開口枠１に固定する。２次組立てブランクの組付けは、開口枠１の左右の縦枠ごとに行う。さらに、受動体７を窓枠２ａに固定した取付け金具２２にビス５８（図１参照）で連結して、窓体２と開閉ハンドル８を一体化する。最後に、左右のハンドルアーム３１の間にハンドル棒３２をあてがい、止めねじ５９（図４参照）をハンドル棒３２の内部に配置したナット体６０にねじ込んで開閉装置を完成する。以上に説明した１次組立てブランクと２次組立てブランクの組立て手順は、必ずしも上記の手順である必要はなく、必要に応じて変更することができる。
【００４０】
窓体２を閉じた状態（全閉状態）における開閉ハンドル８は、そのハンドルアーム３１およびハンドル棒３２の側端の止めねじ５９が、ベースカバー１５内および収納凹部２５に収容されている。この状態のハンドル棒３２は、図６に示すようにグリップ空間Ｇを間にして窓体２に臨んでいる。このようにグリップ空間Ｇが設けてあると、グリップ空間Ｇに手を差し込んでハンドル棒３２を確りと握ることができるので、開閉ハンドル８による窓体２の開放および閉じ操作を的確に行える。握りしめた指や手の甲が窓体２のガラス面に接触することもない。
【００４１】
窓体２を開放する場合には、ユーザーは窓体２を半開放するか、全開放するかを決め、開放したい状態に応じてハンドルロック９の切換え具４０をロック位置またはロック解除位置に切換える。例えば、窓体２を半開放する場合には、切換え具４０をロック位置に切換えた状態で、開閉ハンドル８を上向きに回動操作する。このとき図７に示すように、第１軸３５が第１キャッチ部５１で保持されているので、ハンドルアーム３１は第１軸３５を中心にして回動し、第２軸３６が第２溝２０の円弧溝２０ａに沿って回動する。そして、第２軸３６の大径頭部がロック体４２の周縁および第２キャッチ部５２に接当すると、開閉ハンドル８の上向きの回動が阻止される。このときの窓体２は半開位置まで開放している。切換え具４０をロック位置に切換えた後は、開閉ハンドル８を下向きに回動操作して、第２軸３６をロック体４２から分離させた状態でないと、切換え具４０をロック解除位置に戻すことはできない。
【００４２】
以上のように、ハンドルロック９を備えた開閉装置によれば、窓体２が誤って半開状態から全開状態へ開放操作されるのを解消できるので、窓体２をユーザーの意図通りに円滑に開閉できる使い勝手に優れた窓の開閉装置を提供できる。図７に示すように、開閉ハンドル８を半開位置まで回動操作した状態では、操作ピン３３は受動カム溝３０の直線溝３０ａの下部に位置しており、操作ピン３３が回動した分だけ窓体２が開口枠１の外へ押し出される。半開位置まで開放した状態の窓体２は、図５に示すように、その外面が外壁Ｗの外壁面と面一になっている。そのため、窓を一見しただけでは、窓体２が開放されているか否かを判りづらい状態にして換気を行うことができる。また、半開状態における開閉ハンドル８のハンドル棒３２は、開口枠１の室内側の凹み空間Ｓ内に位置しているので、ハンドル棒３２が室内側へ突出するのを解消して、窓の意匠性や室内の雰囲気が損なわれるのを防止できる。また、ハンドル棒３２が窓の近傍における人の行動の邪魔になることも解消できる。
【００４３】
窓体２を全開する場合には、切換え具４０をロック解除位置に切換えてロック体４２を第２軸３６の回動軌跡の外へ退避させた状態で、開閉ハンドル８を上向きに回動操作し、図８に示すように半開位置を経由して突出し準備位置まで回動させる。この状態では、第２軸３６は第１軸３５の真上に位置して、第２溝２０の直線溝２０ｂに臨んでいる。また、操作ピン３３は、受動カム溝３０の湾曲溝３０ｂの下端に位置している。この状態で、図９に示すように開閉ハンドル８を開口枠１の外面へ突出すと、窓体２を全開位置へ開放操作できる。
【００４４】
上記のように、切換え具４０をロック解除位置に切換えた状態においては、ロック体４２を第２軸３６の大径頭部（ロック片３４）の回動軌跡の外へ退避させて、ロック体４２のロック機能を確実に無効化するので、開閉ハンドル８を突出し準備位置まで回動したのち、開口枠１の外面へ突出して窓体２を全開位置まで開放できる。また、開閉ハンドル８を開口枠１の外面へ突出し操作する際に、突出し操作が阻害されるのを解消して、開閉ハンドル８の上向き回動操作から突出し操作に至る一連の開放操作や閉じ操作を円滑に行うことができる。図１０に示すように全開状態の窓体２は、その外面が外壁Ｗの外壁面より外側に位置しているので、窓体２と開口枠１との間隔が最大になり、より大量の換気空気を導入できる。
【００４５】
ハンドルアーム３１に固定した第１軸３５および第２軸３６を、ハンドルケース６に設けた第１溝１９および第２溝２０でスライド案内すると、各溝１９・２０と各軸３５・３６は常に２個所で接触した状態で相対スライドするので、開閉ハンドル８の上下回動、および前後スライドを常に安定した状態で確実に行える。
【００４６】
使用状態においては第１軸３５、第２軸３６、第１溝１９、第２溝２０、ロック体４２などの外面がベースカバー１５で覆ってあるので、開閉装置の外観をシンプルですっきりとした印象にして、開閉装置によって室内の雰囲気が損なわれるのを解消できる。また、ハンドルロック９の切換え具４０をベースカバー１５の外面に配置しておくことにより、切換え具４０の切換え操作を容易にしかも確実に行える。必要があれば切換え具４０の切換え状態を目視により確認して、切換え具４０が誤操作されるのを極力避けることができる。
【００４７】
ベースフレーム１４にキャッチ体１６を設けて、全閉位置、半開位置、および全開位置の各位置において、第１軸３５および第２軸３６をキャッチ体１６でキャッチ保持するので、各位置においてハンドルアーム３１が遊動し、あるいはぐら付くのを防止できる。図６に示すように、全閉時の第１軸３５は、第１キャッチ部５１でキャッチ保持されているので、開閉ハンドル８を半開位置へ回動操作するとき、ハンドルアーム３１を第１軸３５の回りに確実に回動変位させて、開閉ハンドル８の回動操作を円滑に行える。図７に示すように、半開位置においては、第１軸３５が第１キャッチ部５１でキャッチ保持され、さらに第２軸３６がロック体４２に受け止められた状態で、第２キャッチ部５２でキャッチ保持される。さらに、全開位置においては、第１軸３５および第２軸３６が第３キャッチ部５３および第４キャッチ部５４でキャッチ保持される。従って、半開位置および全開位置において、ハンドルアーム３１を安定した状態で確実に位置保持して、窓体２の開放姿勢を維持することができる。
【００４８】
（実施例２）  図１１および図１２は、本発明に係る開閉装置の実施例２を示す。そこでは、ハンドルアーム３１に第１溝１９と第２溝２０を形成し、ハンドルケース６のベースフレーム１４に第１軸３５と第２軸３６を固定した。また、ハンドルアーム３１にピン状のロック片３４を設けて、切換え具４０をロック位置に切換えた状態において、ロック片３４をロック体４２で受止めるようにした。さらに、キャッチ体１６をハンドルアーム３１に固定して、第１軸３５および第２軸３６を、第１キャッチ部５１〜第４キャッチ部５４で保持できるようにした。
【００４９】
実施例２の開閉装置においては、開閉ハンドル８を上向きに回動操作するとき、第２溝２０が第２軸３６に対してスライド変位し、ハンドルアーム３１に同行して回動するロック片３４がロック体４２に接当して、開閉ハンドル８が半開位置を越えて回動するのを規制する。窓体２を全開する場合には、切換え具４０をロック解除位置に切換えて、ロック体４２をロック片３４の回動軌跡の外へ退避させ、第１溝１９および第２溝２０が第１軸３５および第２軸３６に対してスライド変位して、窓体２を全開位置まで開放する。他は実施例１と同じであるので、同じ部材に同じ符号を付して、その説明を省略する。この実施例から理解できるように、相対スライドする関係にある第１軸３５と第１溝１９、および第２軸３６と第２溝２０は、その一方をハンドルアーム３１に設けるとき、他方がベースフレーム１４に設けてあればよい。
【００５０】
実施例２においては、ハンドルアーム３１にロック片３４を設け、回動するロック片３４をロック体４２で受止めるようにした。こうしたロック構造によれば、ハンドルロック９をハンドルケース６の定位置に固定しておくことができるので、開閉装置の構造を簡素化してコストの削減に寄与できる。因みに、ハンドルロック９をハンドルアーム３１に設ける場合には、ハンドルロック９をハンドルアーム３１に同行して回動させ、往復スライドさせる必要があるので、ハンドルケース６の構造が複雑になるのを避けられない。また、ハンドルアーム３１にロック片３４を設けるので、ロック片３４およびハンドルロック９の配置位置に関して設計の自由度を拡大できる。ロック片３４およびハンドルロック９は、ハンドルアーム３１の回動範囲内の任意の位置に配置できるので、ハンドルアーム３１の構造や大きさなどに応じた最適位置にロック片３４およびハンドルロック９を配置することができる。
【００５１】
図１３および図１４は、開閉装置の別の実施例を示す。そこでは、第１軸３５および第２軸３６をベースフレーム１４に固定して、両軸３５・３６が前後に隣接するようにした。また、ハンドルアーム３１に直線状の第１溝６５を形成し、その中途部から部分円弧状の第２溝６６を分岐し、第２軸３６と第２溝６６が相対スライドすることにより、ハンドルアーム３１を全閉位置から半開位置まで回動操作できるようにした。ハンドルアーム３１を突出し準備位置まで回動させた状態では、第２軸３６は第１軸３５と共に第１溝６５に係合している。従って、開閉ハンドル８を押し込み操作すると、第１溝６５が第１軸３５および第２軸３６に案内された状態で、ハンドルアーム３１が開口枠１の外へ突出されて窓体２を全開位置まで開放できる。なお、図１３および図１４においては、ハンドルロック９およびロック片３４を図示していないが、実施例２と同様のハンドルロック９およびロック片３４を設けることにより、開閉ハンドル８を半開位置においてロックできる。また、ハンドルアーム３１にキャッチ体１６を付加することにより、第１軸３５および第２軸３６を全閉位置、半開位置、全開位置において保持することができる。
【００５２】
図１５は、開口枠１の外面に網戸７０を装着した平行突出し窓の別の実施例を示す。そこでは、ハンドル凹部１１の外面に網戸７０を配置して、図示していない装着具で網戸７０を開口枠１に固定した。網戸７０の交換や清掃などを行う場合には、止めねじ５９を取外してハンドル棒３２をハンドルアーム３１から分離し、さらに先の装着具を室内側から取外して、ハンドルアーム３１の間で網戸７０の姿勢を窓体２と直交する姿勢に変更することにより、左右のハンドルケース６の間から室内側へ取出すことができる。網戸７０を再び装着する場合には、取外し時の逆の手順に従うことでハンドル凹部１１に装着できる。このように、ハンドル棒３２を左右のハンドルアーム３１から分離した状態においては、網戸７０を左右のハンドルケース６の間から出し入れして、網戸７０の交換や清掃、あるいは補修などを手軽に行える。また、季節の変化に応じて網戸７０を開口枠１の外面に配置し、あるいは網戸７０を取外して風通しを良くすることができる。
【００５３】
上記の実施例では、切換え具４０を回動してロック体４２をロック位置とロック解除位置に切換えるようにしたが、その必要はなく、例えば切換え具４０をスライド操作してロック体４２をロック位置とロック解除位置に切換えることができる。本発明に係る開閉装置は、平行突出し窓以外に、突出し窓や滑り出し窓などの窓に適用することができる。半開位置における窓体２の外面は、外壁Ｗの外壁面と面一である必要はなく、外壁Ｗの外壁面より室内側に位置させてあればよい。実施例１および実施例２においては、全閉位置にあった開閉ハンドル８を上向きに回動操作して、開閉ハンドル８が半開位置を経由して突出し準備位置へ回動できるようにしたが、開閉ハンドル８は逆向きに回動操作してもよい。詳しくは、全閉位置にあった開閉ハンドル８を下向きに回動操作して、開閉ハンドル８が半開位置を経由して突出し準備位置へ回動できるようにしてもよい。
【符号の説明】
【００５４】
１  開口枠
２  窓体
３  窓支持構造
６  ハンドルケース
７  受動体
８  開閉ハンドル
９  ハンドルロック
１４  ベースフレーム
１５  ベースカバー
１６  キャッチ体
１９  第１溝
２０  第２溝
３１  ハンドルアーム
３２  ハンドル棒
３４  ロック片
３５  第１軸
３６  第２軸
４０  切換え具
４２  ロック体
【図１】
2017025655.tif 000003
【図２】
2017025655.tif 000004
【図３】
2017025655.tif 000005
【図４】
2017025655.tif 000006
【図５】
2017025655.tif 000007
【図６】
2017025655.tif 000008
【図７】
2017025655.tif 000009
【図８】
2017025655.tif 000010
【図９】
2017025655.tif 000011
【図１０】
2017025655.tif 000012
【図１１】
2017025655.tif 000013
【図１２】
2017025655.tif 000014
【図１３】
2017025655.tif 000015
【図１４】
2017025655.tif 000016
【図１５】
2017025655.tif 000017